(57)【要約】【課題】  二次側端子が縦配置された薄型ブレーカが組み付けられた住宅用分電盤であっても、個々の分岐ブレーカへの分岐配線の結線を容易に実施できる住宅用分電盤を提供する。【解決手段】  主幹ブレーカ２と複数の分岐ブレーカ３とが収容される住宅用分電盤の分岐ブレーカ３が組み付けられる基台１に、負荷に至る分岐配線８を接続するための分岐配線接続端子６と、分岐ブレーカ３の二次側端子３３と電線７を介して接続されて、分岐配線接続端子６に基台１内で接続されて成る中継端子５とを設け、分岐配線８を分岐配線接続端子６に接続すると、分岐配線８が分岐ブレーカ３の二次側端子に電気的に接続される。【選択図】  図１
2020124080.tif 000002
【特許請求の範囲】
【請求項１】
主幹ブレーカと複数の分岐ブレーカとが収容される住宅用分電盤であって、
前記分岐ブレーカが組み付けられる基台に、負荷に至る分岐配線を接続するための分岐配線接続端子と、
前記分岐ブレーカの二次側端子と電線を介して接続されて、前記分岐配線接続端子に前記基台内で接続されて成る中継端子とを設け、
前記分岐配線を前記分岐配線接続端子に接続すると、前記分岐配線が前記分岐ブレーカの二次側端子に電気的に接続されることを特徴とする住宅用分電盤。
【請求項２】
前記中継端子及び前記分岐配線接続端子のうち少なくとも前記中継端子は、組み付けられる前記分岐ブレーカの二次側端子が位置する部位の近傍に配置され、且つ前記中継端子及び前記分岐配線接続端子は電線を挿入して接続を完了する速結端子で形成されて成ることを特徴とする請求項１記載の住宅用分電盤。
【請求項３】
前記分岐配線接続端子には検電孔が設けられ、前記分岐配線接続端子の通電状態を容易に確認できることを特徴とする請求項２記載の住宅用分電盤。
【請求項４】
前記基台の前記分岐配線接続端子の近傍には、分電盤ハウジングの背部から分岐配線を引き込んで前記分岐配線接続端子に接続するための電線挿通口が形成されていることを特徴とする請求項１乃至３の何れかに記載の住宅用分電盤。
【発明の詳細な説明】
【技術分野】
【０００１】
本発明は住宅用分電盤に関し、特に速結端子から成る二次側端子を有し、この二次側端子が分電盤正面を向かず、電線の接続がし難い分岐ブレーカが組み付けられて成る住宅用分電盤に関する。
【背景技術】
【０００２】
近年、分岐ブレーカの小型化、薄型化が進んでおり、従来左右に配置していた速結端子から成る二次側端子を縦に配置することで、幅方向の薄型化を図ったものが普及している。
特許文献１は、このような薄型の分岐ブレーカを組み付けた住宅用分電盤の一例を示し、組み付けられている分岐ブレーカは、一次側端子と二次側端子とがブレーカハウジングの前面と背面に対向するように配置されている。そのため、特許文献１に開示されているように、分電盤に組み付けた際に一次側端子が上方に向けて配置されると、二次側端子は下方に向けて配置された。
【先行技術文献】
【特許文献】
【０００３】
【特許文献１】特開２０１５−１３９２５０号公報
【発明の概要】
【発明が解決しようとする課題】
【０００４】
上記特許文献１に開示されているように、一次側端子、二次側端子の双方をブレーカハウジングに縦配置することで分岐ブレーカを薄くでき、分電盤内に省スペースで多数の分岐ブレーカの組み付けが可能となった。
しなしながら、分電盤に組み付けられた分岐ブレーカは、薄型化した弊害として分岐配線する電線を接続する二次側端子が下方（或いは上方）等分電盤前方から見て側方を向き、且つ端子が前後方向に重なるように配置されているため、二次側端子が見辛く特に奥側の端子への結線がし辛かった。
【０００５】
そこで、本発明はこのような問題点に鑑み、二次側端子が縦配置された薄型ブレーカが組み付けられた住宅用分電盤であっても、個々の分岐ブレーカへの分岐配線の結線作業が容易な住宅用分電盤を提供することを目的としている。
【課題を解決するための手段】
【０００６】
上記課題を解決する為に、請求項１の発明は、主幹ブレーカと複数の分岐ブレーカとが収容される住宅用分電盤であって、分岐ブレーカが組み付けられる基台に、負荷に至る分岐配線を接続するための分岐配線接続端子と、分岐ブレーカの二次側端子と電線を介して接続されて、分岐配線接続端子に基台内で接続されて成る中継端子とを設け、分岐配線を分岐配線接続端子に接続すると、分岐配線が分岐ブレーカの二次側端子に電気的に接続されることを特徴とする。
この構成によれば、負荷へ至る分岐配線を分岐配線接続端子に接続すれば、分岐ブレーカの二次側端子に接続される。そのため、分岐ブレーカの二次側端子が電線を接続し難い配置であっても、分岐配線接続端子を基台上の視認し易い場所に配置すれば、この分岐配線接続端子を使用して分岐配線を容易に分岐ブレーカに接続できる。
【０００７】
請求項２の発明は、請求項１に記載の構成において、中継端子及び分岐配線接続端子のうち少なくとも中継端子は、組み付けられる分岐ブレーカの二次側端子が位置する部位の近傍に配置され、且つ中継端子及び分岐配線接続端子は電線を挿入して接続を完了する速結端子で形成されて成ることを特徴とする。
この構成によれば、中継端子は分岐ブレーカの二次側端子近傍に配置されるため、二次側端子と接続操作し易いし、中継端子及び分岐配線接続端子が速結端子で形成されることで、容易に接続操作できる。
【０００８】
請求項３の発明は、請求項２記載の構成において、分岐配線接続端子には検電孔が設けられ、分岐配線接続端子の通電状態を容易に確認できることを特徴とする。
この構成によれば、分岐ブレーカの検電孔を使用すること無く、また分岐配線を抜き取ることなく導通検査を実施でき、利便性が良い。
【０００９】
請求項４の発明は、請求項１乃至３の何れかに記載の構成において、基台の分岐配線接続端子の近傍には、分電盤ハウジングの背部から分岐配線を引き込んで分岐配線接続端子に接続するための電線挿通口が形成されていることを特徴とする。
この構成によれば、分岐配線接続端子の近傍に電線挿通口が設けられているため、分電盤の背部から導入した分岐配線を、分電盤ハウジング内で引き回すことなく分岐配線接続端子に接続でき、別途引き回し空間を設ける必要がない。
【発明の効果】
【００１０】
本発明によれば、負荷へ至る分岐配線を分岐配線接続端子に接続すれば、分岐ブレーカの二次側端子に接続される。そのため、分岐ブレーカの二次側端子が電線を接続し難い配置であっても、分岐配線接続端子を基台上の視認し易い場所に配置すれば、この分岐配線接続端子を使用して分岐配線を容易に分岐ブレーカに接続できる。
【図面の簡単な説明】
【００１１】
【図１】本発明に係る住宅用分電盤の一例を示し、分電盤ハウジングの一部を成す基台の正面説明図である。
【図２】図１の基台の斜視説明図である。
【図３】図２と異なる方向から見た基台の斜視説明図である。
【図４】図１のＡ部拡大図である。
【発明を実施するための形態】
【００１２】
以下、本発明を具体化した実施の形態を、図面を参照して詳細に説明する。図１乃至３は本発明に係る住宅用分電盤（以下、単に「分電盤」と称する。）の一例を示し、図１は分岐ブレーカ等の機器を組み付けた基台の正面説明図、図２は図１の基台の斜視説明図、図３は図２とは異なる方向から見た斜視説明図である。基台１は分電盤ハウジングの背部を構成し、壁面に取り付けられる部材として形成されている。尚、図示しない蓋板とこの基台１とで分電盤ハウジングが構成される。
【００１３】
基台１には、主幹ブレーカ取付部１１、分岐ブレーカ取付部１２、後方から電線を導入する電線挿通口１３、更に後述する中継端子５、分岐配線接続端子６が設けられ、決められた部位に主幹ブレーカ２、複数の分岐ブレーカ３が組み付けられる。
そして、蓋板により機器が組み付けられた基台１の前面のうち少なくとも機器の操作部を除く部位が閉塞されて分電盤は構成される。
【００１４】
この基台１に組み付けられる分岐ブレーカ３は、ブレーカハウジング上部に電路をオン／オフ操作する操作ハンドル３１、背部に電源側端子である一次側端子３２、前面に負荷側端子である二次側端子３３が配置されている。一次側端子３２は銅バーを把持して接続される差込式端子、二次側端子３３は電線を挿入するだけで接続される速結端子で構成され、何れの端子も縦に配置された薄型ブレーカである。基台１には、操作ハンドル３１を前方に向けて組み付けられる。
【００１５】
また、主幹ブレーカ２及び分岐ブレーカ３は単相３線式電路に対応し、２つの電圧極Ｌ（Ｌ１，Ｌ２）と中性極Ｎから成る３端子を有している。そして、分岐配線８は２本の電線から成り、１００ボルト負荷に至る電路を形成する場合は、分岐ブレーカ３の一方の電圧極Ｌと中性極Ｎに接続され、２００Ｖ負荷に対応する電路を形成する場合は、２つの電圧極Ｌ１，Ｌ２の端子に接続される。尚、分岐配線８は、接地線を具備する場合は３線で構成される。
【００１６】
主幹ブレーカ２は、下部に一次側端子２１、上部に二次側端子２２を配置して基台１に組み付けられる。また、基台１の分岐ブレーカ取付部１２の上部には、分岐ブレーカ３の一次側端子３２を接続するために、前後に重なるように且つ左右方向に帯状に形成された３枚の銅バー４が配設されている。
主幹ブレーカ２の二次側端子２２は、この銅バー４の一端から棒状に延設された接続バー４ａが接続される。
【００１７】
一方、分岐ブレーカ３は、差込式端子で形成された一次側端子３２を上方に向け、速結端子で形成された二次側端子３３を下方に向けて取り付けられ、基台１に組み付けた状態で一次側端子３２は銅バー４に接続される。
【００１８】
電線挿通口１３は、組み付けられた分岐ブレーカ３の二次側端子３３が配置される位置の近くとなる分岐ブレーカ取付部１２の下方に形成されている。そして、この電線挿通口１３と分岐ブレーカ取付部１２の間に、中継端子５及び分岐配線接続端子６の一部が形成されている。特に、中継端子５は組み付けられた分岐ブレーカ３の二次側端子３３が配置される位置の近傍に配置されている。
尚、分岐配線接続端子６は、この中継端子５に隣接する電線挿通口１３の上部と、電線挿通口１３の下部とに分けて形成されている。
【００１９】
中継端子５、分岐配線接続端子６は、分岐ブレーカ取付部１２の分岐ブレーカ３組み付け可能数と同数設形成され、何れも一対の速結端子５ａ，６ａにより形成されている。
中継端子５は、分岐ブレーカ３の列に平行するよう１列に形成され、対応する分岐ブレーカ３の二次側端子３３に合わせて配置されている。そして、分岐ブレーカ３の二次側端子３３の使用する２端子と一対の速結端子５ａとが電線７を介して接続されて使用される。
【００２０】
また分岐配線接続端子６は、中継端子５と対を成して形成され、対を成す中継端子５と分岐配線接続端子６とは基台１の内部で接続されている。
図４はＡ部拡大説明図であり、中継端子５と分岐配線接続端子６とが基台１内で導体９により接続されている様子を示している。このように、対を成す中継端子５と分岐配線接続端子６とが接続されており、中継端子５と分岐ブレーカ３の二次側端子３３とを電線７で接続すれば、分岐配線接続端子６を分岐ブレーカ３の二次側端子３３としての使用が可能となる。
結果、分岐配線８を分岐配線接続端子６に接続すれば、分岐ブレーカ３への接続が完了し、分岐ブレーカ３の二次側端子３３に分岐配線８を直接接続する必要がなくなる。
【００２１】
ここで、分岐配線接続端子６の構成を具体的に説明する。分岐配線接続端子６は、一対の速結端子６ａで形成されるが、図１に示すように２つの群（第１の群Ｇ１、第２の群Ｇ２）に分けて形成されている。
第１の群Ｇ１は、中継端子５の列に隣接する電線挿通口１３の上部に配置され、第２の群Ｇ２は電線挿通口１３の下部に配置されている。
また、各分岐配線接続端子６は、速結端子６ａ毎にその近傍に検電孔６ｂを備えている。検電孔６ｂは、基台１の内部で速結端子６ａに電気的に接続されており、テスター等のプローブを挿入して通電状態を確認できるよう構成されている。
【００２２】
第１の群Ｇ１は、列設された複数の中継端子５のうち、奇数番目の中継端子５と基台１内で接続されている。即ち、奇数番目の分岐ブレーカ３が配置された構成となっている。一方、第２の群Ｇ２は、偶数番目の中継端子５と基台１内で接続されている。即ち、偶数番目の分岐ブレーカ３が配置された構成となっている。このように配置することで、例えば、第１の群Ｇ１を一方の電圧極Ｌ１と中性極Ｎとを接続する群とし、第２の群Ｇ２を他方の電圧極Ｌ２と中性極Ｎとを接続する群にでき、２つの電圧極Ｌ１，Ｌ２のバランスのとれた配電が可能となる。
【００２３】
このように、負荷へ至る分岐配線８を分岐配線接続端子６に接続すれば、分岐ブレーカ３の二次側端子３３に接続される。そのため、分岐ブレーカ３の二次側端子３３が電線を接続し難い配置であっても、分岐配線接続端子６を基台１上の視認し易い場所に配置すれば、この分岐配線接続端子６を使用して分岐配線８を容易に分岐ブレーカ３に接続できる。
また、中継端子５は分岐ブレーカ３の二次側端子３３の近傍に配置されるため、二次側端子３３と接続操作し易いし、中継端子５及び分岐配線接続端子６が速結端子で形成されることで、容易に接続操作できる。
更に、分岐配線接続端子６には検電孔６ｂが設けられているため、分岐ブレーカ３の検電孔を使用すること無く、また分岐配線８を抜き取ることなく導通検査を実施でき利便性が良い。
また、分岐配線接続端子６の近傍に電線挿通口１３が設けられているため、分電盤の背部から導入した分岐配線８を、分電盤ハウジング内で引き回すことなく分岐配線接続端子６に接続でき、別途引き回し空間を設ける必要がない。
【００２４】
尚、分岐配線接続端子６を第１の群Ｇ１と第２の群Ｇ２とに分けて配置しているが、全ての分岐配線接続端子６を１列に配置しても良い。また、分岐配線接続端子６に接地端子を更に加えても良い。
また、基台１を分電盤ハウジングの一部を構成する部材として説明しているが、分電盤ハウジングの内部に配置される部材としても良い。
【符号の説明】
【００２５】
１・・基台、２・・主幹ブレーカ、３・・分岐ブレーカ、５・・中継端子、５ａ・・速結端子、６・・分岐配線接続端子、６ａ・・速結端子、６ｂ・・検電孔、７・・電線、８・・分岐配線、１１・・主幹ブレーカ取付部、１２・・分岐ブレーカ取付部、１３・・電線挿通口、３３・・二次側端子。
【図１】
2020124080.tif 000003
【図２】
2020124080.tif 000004
【図３】
2020124080.tif 000005
【図４】
2020124080.tif 000006